(57)【要約】【課題】デッキ本体と基板とを取り付ける際にビスを使わずに簡単にデッキ本体と基板とを取り付けることができ、部品点数を削減できてコストダウンを図れ、しかもビスを使って取り付ける作業工程を削減できて作業能率を上げることができ、取り付け時間の短縮化を図れるデッキと基板の取付構造を提供する。【解決手段】デッキ本体１の下面から下向きに互いに対向する逆Ｆ字形の２本の取付用脚部２、３を設け、デッキ本体１を取り付ける基板４における取付用脚部２、３に対応する箇所に取付孔を穿設し、デッキ本体１の取付用脚部２、３を基板４の取付孔４ａ、４ａに挿入して取付用脚部２、３の下端係止片部２ａ、３ａを基板４の取付孔４ａ、４ａに係入係止するとともに取付用脚部２，３の中途部分から突設されている突出片部２ｃ，３ｃを基板４の上面に当接してデッキ本体１を基板４に取付用脚部２，３の係止状態によって係脱可能に取り付ける。【選択図】  図３
2005005374.tif 000002
【特許請求の範囲】
【請求項１】
デッキ本体をこのデッキ本体の下側に位置する基板にビスを用いて取り付けるようにしたデッキと基板の取付構造において、前記ビスに代えて、デッキ本体の下面から下向きに互いに対向する内向きの逆Ｆ字形の少なくとも２本の取付用脚部が設けられ、このデッキ本体が取り付けられる基板における前記取付用脚部に対応する箇所に取付孔が穿設され、前記デッキ本体の逆Ｆ字形の取付用脚部が前記基板の取付孔に挿入されて、前記逆Ｆ字形の取付用脚部の下端係止片部が前記基板の取付孔に係入係止されるとともに、前記逆Ｆ字形の取付用脚部の中途部分から突設されている突出片部が前記基板の上面に当接されて前記デッキ本体が前記基板に前記取付用脚部の係止状態によって係脱可能に取り付けられるように構成したことを特徴とするデッキと基板の取付構造。
【請求項２】
デッキ本体の下面から下向きに互いに対向する内向き又は外向きの逆Ｆ字形の少なくとも２本の取付用脚部が設けられ、このデッキ本体が取り付けられる基板における前記取付用脚部に対応する箇所に取付孔が穿設され、前記デッキ本体の逆Ｆ字形の取付用脚部が前記基板の取付孔に挿入されて、前記逆Ｆ字形の取付用脚部の下端係止片部が前記基板の取付孔に係入係止されるとともに、前記逆Ｆ字形の取付用脚部の中途部分から突設されている突出片部が前記基板の上面に当接されて前記デッキ本体が前記基板に前記取付用脚部の係止状態によって取り付けられるように構成したことを特徴とするデッキと基板の取付構造。
【請求項３】
前記逆Ｌ字形の取付用脚部の下端左右両側に内向きに傾斜するテーパー面が形成されている請求項２に記載のデッキと基板の取付構造。
【請求項４】
前記デッキ本体の下面の取付用脚部の側面に、前記デッキ本体と前記基板とを接続するフレキシブルケーブルが接着剤で添設され、前記取付用脚部が前記基板の取付孔に係入係止された状態で前記フレキシブルケーブルの先端部が前記基板の裏面のパターンに半田付けされるように構成した請求項２又は３に記載のデッキと基板の取付構造。
【請求項５】
前記デッキ本体の下面の取付用脚部の側面にガイド溝が下端の前端部まで穿設され、このガイド溝内に前記デッキ本体と前記基板を接続するフレキシブルケーブルが配設されていて、前記取付用脚部が前記基板の取付孔に係入係止された状態で前記フレキシブルケーブルの先端部が前記基板の裏面のパターンに半田付けされるように構成したことを特徴とする請求項２又は３に記載のデッキと基板の取付構造。
【発明の詳細な説明】
【０００１】
【発明の属する技術分野】
本発明は、デッキ本体をデッキ本体の下側に位置する基板に取り付けるようにしたデッキと基板の取付構造に関する。
【０００２】
【従来の技術】
従来、デッキと基板とを取り付けるには、例えば、ビスを２本使用して、この２本のビスでデッキと基板とを取り付けるようにしていた。
ところで、このようにビスを使用しているものでは、２本のビスを必要としていて、部品点数が多くなってコスト高となり、２本のビスを取り付ける作業工程が必要であって、作業能率が悪いという問題があった。
【０００３】
第１の従来技術を図８、図９に示す。フライバックトランス１２０に先端を屈曲せしめた係合片１２１を設け、プリント基板１１３に設けた係合穴１１４に係合片１２１を挿入して係合穴１１４の縁部１１４ａに屈曲部１２１ａを係合させるにあたり、プリント基板１１３をはんだで肉盛りし、屈曲部１２１ａとプリント基板１１３との間にはんだを介在させるものである。（例えば、特許文献１参照）。
ところが、これは、フライバックトランス１２０の左右両側面の下部に、外側に突き出た係合片１２１を設けたものであり、下面側に係合片を設けたものではなかった。
【０００４】
第２の従来技術を図１０（ａ）（ｂ）（ｃ）に示す。ポリプロピレン樹脂等の弾性を有す樹脂部材より構成される取付部材２１０を有した電機部品２０５の取付装置であって、電機部品２０５を取付ける取付部材２１０をシャーシ２０１等の固定部材に設けられた取付口２１６に係止されるフック部２１１と、電機部品２０５を保持する保持部２１２と、少なくとも１つのヒンジ部２１３とより構成し、ヒンジ部２１３によりフック部２１１を内外方向に押圧可能とし、取付口２１６に取付可能としたものである。（例えば、特許文献２参照）。
ところが、これは、電気部品２０５と取付部材２１０とが別体になっているものであった。
【０００５】
第３の従来技術を図１１、図１２に示す。モールド３１３にフック３１８を垂設し、フック３１８を基板３１５の係止孔３２２等へ挿通して係止させ、モールド３１３を基板３１５等へ固定するモールドの固定装置において、モールド３１３よりフック３１８の側面に対峙してガード壁３２０を垂設したものである。（例えば、特許文献３参照）。
ところが、これはフック３１８を基板３１５の係止孔３２２に係入係止した状態では、モールド３１３の上下位置を固定できないものであった。
【０００６】
【特許文献１】
特開２００２−１８５１６６号公報
【特許文献２】
実開昭５９−１８４８６号公報
【特許文献３】
実開平４−７２６８６号公報
【０００７】
【発明が解決しようとする課題】
本発明は、デッキ本体と基板とを取り付ける際に、ビスを使わずに簡単にデッキ本体と基板とを取り付けることができ、部品点数を削減することができてコストダウンを図れ、しかもビスを使って取り付ける作業工程を削減できて作業能率を上げることができ、取り付け時間の短縮化を図ることができるデッキと基板の取付構造を提供する事を目的としている。
【０００８】
【課題を解決するための手段】
本発明は、上記課題を解決するために提案されたものであって、請求項１に記載の発明は、デッキ本体をこのデッキ本体の下側に位置する基板にビスを用いて取り付けるようにしたデッキと基板の取付構造において、前記ビスに代えて、デッキ本体の下面から下向きに互いに対向する内向きの逆Ｆ字形の少なくとも２本の取付用脚部が設けられ、このデッキ本体が取り付けられる基板における前記取付用脚部に対応する箇所に取付孔が穿設され、前記デッキ本体の逆Ｆ字形の取付用脚部が前記基板の取付孔に挿入されて、前記逆Ｆ字形の取付用脚部の下端係止片部が前記基板の取付孔に係入係止されるとともに、前記逆Ｆ字形の取付用脚部の中途部分から突設されている突出片部が前記基板の上面に当接されて前記デッキ本体が前記基板に前記取付用脚部の係止状態によって係脱可能に取り付けられるように構成したことを特徴としている。
【０００９】
請求項２に記載の発明は、デッキ本体の下面から下向きに互いに対向する内向き又は外向きの逆Ｆ字形の少なくとも２本の取付用脚部が設けられ、このデッキ本体が取り付けられる基板における前記取付用脚部に対応する箇所に取付孔が穿設され、前記デッキ本体の逆Ｆ字形の取付用脚部が前記基板の取付孔に挿入されて、前記逆Ｆ字形の取付用脚部の下端係止片部が前記基板の取付孔に係入係止されるとともに、前記逆Ｆ字形の取付用脚部の中途部分から突設されている突出片部が前記基板の上面に当接されて前記デッキ本体が前記基板に前記取付用脚部の係止状態によって取り付けられるように構成したことを特徴としている。
【００１０】
請求項３に記載の発明は、前記逆Ｌ字形の取付用脚部の下端左右両側に内向きに傾斜するテーパー面が形成されているものである。
請求項４に記載の発明は、前記デッキ本体の下面の取付用脚部の側面に、前記デッキ本体と前記基板とを接続するフレキシブルケーブルが接着剤で添設され、前記取付用脚部が前記基板の取付孔に係入係止された状態で前記フレキシブルケーブルの先端部が前記基板の裏面のパターンに半田付けされるように構成したものである。
【００１１】
請求項５に記載の発明は、前記デッキ本体の下面の取付用脚部の側面にガイド溝が下端の前端部まで穿設され、このガイド溝内に前記デッキ本体と前記基板を接続するフレキシブルケーブルが配設されていて、前記取付用脚部が前記基板の取付孔に係入係止された状態で前記フレキシブルケーブルの先端部が前記基板の裏面のパターンに半田付けされるように構成したことを特徴としている。
【００１２】
【発明の実施の形態】
以下、本発明に係るデッキと基板の取付構造の実施の形態について、図を参照しつつ説明する。
図１は本発明の第１実施形態のデッキと基板の取付構造の取付前の状態を示す断面図、図２は同取付構造の取付途中の状態を示す要部の部分断面図、図３は同取付装置の取付状態を示す断面図である。
【００１３】
第１実施形態のデッキと基板の取付構造は、図１、図２、図３に示すように、デッキ本体１の下面から下向きに互いに対向する内向きの逆Ｆ字形の２本の取付用脚部２、３が設けられ、このデッキ本体１が取り付けられる基板４における取付用脚部２、３に対応する箇所に取付孔４ａ、４ａが穿設されている。
更に、これら逆Ｌ字形の取付用脚部２、３の下端係止片部２ａ、３ａの下端左右両側に内向きに傾斜するテーパー面２ｂ、３ｂが形成されている。
【００１４】
そして、デッキ本体１の逆Ｆ字形の取付用脚部２、３が基板４の取付孔４ａ、４ａにテーパー面２ａ、３ａでガイドされて挿入される。更に、逆Ｆ字形の取付用脚部２、３の下端係止片部２ａ、３ａが基板４の取付孔４ａ、４ａに係入係止されるとともに、逆Ｆ字形の取付用脚部２、３の途中部分から突設されている突出片部２ｃ、３ｃが基板４の上面に当接される。これにより、デッキ本体１が基板４に取付用脚部２、３の係止状態によって係脱可能に取り付けられるようにしている。
この状態で、図３に示すように筐体５内に配置され、筐体５内のボス部５ａ、５ａにデッキ本体１の両側突出片６がビス７、７で取り付けられるようになっている。更に、取付用脚部２、３の下端の外面部分が筐体５の底面から上向きに突設されたリブ８、８に当接されるようになっている。
【００１５】
ここで、デッキ本体１の取付用脚部２、３を基板４の取付孔４ａ、４ａに挿入するには、先ず、片方の取付用脚部２を基板４の片方の取付孔４ａに挿入し、この取付用脚部２の下端係止片部２ａを基板４の取付孔４ａの縁部に係止するようにデッキ本体１を図にて右側に移動させる。
更に、他方の取付用脚部３を外側に少し曲げるようにしてから基板４の他方の取付孔４ａに強制的に挿入させる。
すると、図３に示すように、両側の取付用脚部２、３の下端係止片部２ａ、３ａが基板４の裏面に係止した状態で、デッキ本体１が基板４に取り付けられることとなる。
【００１６】
また、デッキ本体１を基板４から取り外すには、他方の取付用脚部３を外側に少し曲げてこの取付用脚部３を基板４の取付孔４ａから取り出して、その後に片方の取付用脚部２を基板４の取付孔４ａから取り外すようにする。
また、デッキ本体１の他方の取付用脚３を先に基板４の取付孔４ａに挿入してから片方の取付用脚部２を少し外側に曲げるようにして挿入するようにしてもよい。尚、取り外す場合にも、どちらの取付用脚部２、３を先に外すようにしてもよい。
【００１７】
したがって、この第１実施形態によれば、デッキ本体１の下面に下向きに取付用脚部２、３を設けて、この取付用脚部２、３を基板４の取付孔４ａ、４ａに挿入して係入係止するようにしたので、デッキ本体１と基板４とを取り付ける際に、ビスを使わずに簡単にデッキ本体１と基板４とを取り付けることができ、部品点数を削減することができてコストダウンを図れ、しかもビスを使って取り付ける作業工程を削減できて作業能率を上げることができ、取り付け時間の短縮化を図ることができる。
【００１８】
また、取り付けた後には、取付用脚部２、３の突出片部２ｃ、３ｃが基板４の上面に接するので、基板４に取り付けられたデッキ本体１が傾くようなことがなくて、安定した取付状態を保持することができる。
更に、取付用脚部２、３の下端係止片部２ａ、３ａの下端左右両側にテーパー面２ｂ、３ｂが形成されているので、この取付用脚部２、３を基板４の取付孔４ａ、４ａにスムーズに挿入することができる。
【００１９】
図４は第２実施形態のデッキと基板の取付構造の取付前の状態を示す断面図、図５は同取付構造の取付状態を示す断面図である。
第２実施形態のデッキと基板の取付構造は、図４、図５に示すように、デッキ本体１の下面から下向きに互いに対向する外向きの逆Ｆ字形の２本の取付用脚部２Ａ、３Ａが設けられ、このデッキ本体１が取り付けられる基板４における取付用脚部２Ａ、３Ａに対応する箇所に取付孔４ａ、４ａが穿設されている。更に、デッキ本体１の逆Ｆ字形の取付用脚部２Ａ、３Ａが基板４の取付孔４ａ、４ａに挿入されて、逆Ｆ字形の取り付け用脚部２Ａ、３Ａの下端係止片部２ｄ、３ｄが基板４の取付孔４ａ、４ａに係入係止されるとともに、逆Ｆ字形の取付用脚部２Ａ，３Ａの途中部分から突設されている突出片部２ｅ、２ｅが基板４の上面に当接されてデッキ本体１が基板４に取付用脚部２Ａ、３Ａの係止状態によって取り付けられるようになっている。尚、第１実施形態と同様に、デッキ本体１の取付用脚部２Ａ、３Ａの下端側面にテーパー面を形成して、基板４の取付孔４ａ、４ａに挿入しやすくすることが好ましい。
【００２０】
ここで、デッキ本体１の取付用脚部２Ａ、３Ａを基板４の取付孔４ａ、４ａに挿入するには、先ず、片方の取付用脚部２Ａを基板４の片方の取付孔４ａに挿入し、この取付用脚部２Ａの下端係止片部２ｄを基板４の取付孔４ａの縁部に係止するようにデッキ本体１を図にて左側に移動させる。
更に、他方の取付用脚部３Ａを内側に少し曲げるようにしてから基板４の他方の取付孔４ａに強制的に挿入させる。
すると、図５に示すように、両側の取付用脚部２Ａ、３Ａの下端係止片部２ｄ、３ｄが基板４の裏面に係止した状態で、デッキ本体１が基板４に取り付けられることとなる。
【００２１】
また、デッキ本体１を基板４から取り外すには、他方の取付用脚部３Ａを外側に少し曲げてこの取付用脚部３Ａを基板４の取付孔４ａから取り出して、その後に片方の取付用脚部２Ａを基板４の取付孔４ａから取り外すようにする。
また、デッキ本体１の他方の取付用脚３Ａを先に基板４の取付孔４ａに挿入してから片方の取付用脚部２Ａを少し外側に曲げるようにして挿入するようにしてもよい。尚、取り外す場合にも、どちらの取付用脚部２Ａ、３Ａを先に外すようにしてもよい。
【００２２】
したがって、この第２実施形態によれば、デッキ本体１の下面に下向きに取付用脚部２Ａ、３Ａを設けて、この取付用脚部２Ａ、３Ａを基板４の取付孔４ａ、４ａに挿入して係入係止するようにしたので、デッキ本体１と基板４とを取り付ける際に、ビスを使わずに簡単にデッキ本体１と基板４とを取り付けることができ、部品点数を削減することができてコストダウンを図れ、しかもビスを使って取り付ける作業工程を削減できて作業能率を上げることができ、取り付け時間の短縮化を図ることができる。
また、取り付けた後には、取付用脚部２Ａ、３Ａの突出片部２ｃ、３ｃが基板４の上面に接するので、基板４に取り付けられたデッキ本体１が傾くようなことがなくて、安定した取付状態を保持することができる。
【００２３】
図６は第３実施形態のデッキと基板の取付構造の取付状態を示す断面図である。
第３実施形態のデッキと基板の取付構造は、図６に示すように、デッキ本体１の下面の一方の取付用脚部２Ａの側面に、デッキ本体１と基板４とを接続するフレキシブルケーブル９が接着剤で添設され、取付用脚部２Ａ、３Ａが基板４の取付孔４ａ、４ａに係入係止された状態でフレキシブルケーブル９の先端部が基板４の裏面のパターン（図示略）に半田付けされるようにしている。
尚、取付用脚部２Ａ、３Ａの下端係止片部２ｄ、３ｄの下端面は上向き外側に向けて傾斜する傾斜面２ｆ、３ｆに形成されている。
【００２４】
したがって、この第３実施形態によれば、一方の取付用脚部２Ａにデッキ本体１と基板４とを接続するフレキシブルケーブル９を接着剤で添設したので、取付用脚部２Ａを基板４の取付孔４ａに挿入するときに同時にフレキシブルケーブル９でデッキ本体１と基板４とを接続することができるとともに、このフレキシブルケーブル９をばらつくことなく接続することができる。
また、取付用脚部２Ａの下端係止片２ｄの傾斜面２ｆに沿ってフレキシブルケーブル９を配設することができて、このフレキシブルケーブル９が取付用脚部２Ａから外れることを防ぐことができる。
【００２５】
図７は第４実施形態のデッキと基板の取付構造を示し、（ａ）はその取付状態を示す断面図、（ｂ）はその要部を示す部分断面図である。
第４実施形態のデッキと基板の取付構造は、図７（ａ）（ｂ）に示すように、デッキ本体１の下面の一方の取付用脚部２Ａの側面にガイド溝２ｇが下端の前端部まで穿設され、このガイド溝２ｇ内にデッキ本体１と基板４を接続するフレキシブルケーブル９が配設されている。そして、取付用脚部２Ａ、３Ａが基板４の取付孔４ａ、４ａに係入係止された状態でフレキシブルケーブル９の先端部が基板４の裏面のパターン（図示略）に半田付けされるようになっている。
【００２６】
したがって、この第４実施形態によれば、フレキシブルケーブル９が取付用脚部２Ａのガイド溝２ｇ内に配設されるので、接着剤を必要とせず、しかもフレキシブルケーブル９を安定した状態で配設することができる。
【００２７】
【発明の効果】
以上説明したように、請求項１に記載の発明は、デッキ本体をこのデッキ本体の下側に位置する基板にビスを用いて取り付けるようにしたデッキと基板の取付構造において、ビスに代えて、デッキ本体の下面から下向きに互いに対向する内向きの逆Ｆ字形の少なくとも２本の取付用脚部が設けられ、このデッキ本体が取り付けられる基板における取付用脚部に対応する箇所に取付孔が穿設され、デッキ本体の逆Ｆ字形の取付用脚部が基板の取付孔に挿入されて、逆Ｆ字形の取付用脚部の下端係止片部が基板の取付孔に係入係止されるとともに、逆Ｆ字形の取付用脚部の中途部分から突設されている突出片部が基板の上面に当接されてデッキ本体が基板に取付用脚部の係止状態によって係脱可能に取り付けられるように構成したので、以下に述べる効果を奏する。
【００２８】
即ち、デッキ本体の下面に下向きに取付用脚部を設けて、この取付用脚部を基板の取付孔に挿入して係入係止するようにしたので、デッキ本体と基板とを取り付ける際に、ビスを使わずに簡単にデッキ本体と基板とを取り付けることができ、部品点数を削減することができてコストダウンを図れ、しかもビスを使って取り付ける作業工程を削減できて作業能率を上げることができ、取り付け時間の短縮化を図ることができる。
また、取り付けた後には、取付用脚部の突出片部が基板の上面に接するので、基板に取り付けられたデッキ本体が傾くようなことがなくて、安定した取付状態を保持することができる。
【００２９】
請求項２に記載の発明は、デッキ本体の下面から下向きに互いに対向する内向き又は外向きの逆Ｆ字形の少なくとも２本の取付用脚部が設けられ、このデッキ本体が取り付けられる基板における取付用脚部に対応する箇所に取付孔が穿設され、デッキ本体の逆Ｆ字形の取付用脚部が基板の取付孔に挿入されて、逆Ｆ字形の取付用脚部の下端係止片部が基板の取付孔に係入係止されるとともに、逆Ｆ字形の取付用脚部の中途部分から突設されている突出片部が基板の上面に当接されてデッキ本体が基板に取付用脚部の係止状態によって取り付けられるように構成したので、以下に述べる効果を奏する。
【００３０】
即ち、デッキ本体の下面に下向きに取付用脚部を設けて、この取付用脚部を基板の取付孔に挿入して係入係止するようにしたので、デッキ本体と基板とを取り付ける際に、ビスを使わずに簡単にデッキ本体と基板とを取り付けることができ、部品点数を削減することができてコストダウンを図れ、しかもビスを使って取り付ける作業工程を削減できて作業能率を上げることができ、取り付け時間の短縮化を図ることができる。
また、取り付けた後には、取付用脚部の突出片部が基板の上面に接するので、基板に取り付けられたデッキ本体が傾くようなことがなくて、安定した取付状態を保持することができる。
【００３１】
請求項３に記載の発明は、逆Ｌ字形の取付用脚部の下端左右両側に内向きに傾斜するテーパー面が形成されているので、取付用脚部を基板の取付孔に挿入する際に、このテーパー面にガイドされて取付用脚部を基板の取付孔にスムーズに挿入することができる。
請求項４に記載の発明は、デッキ本体の下面の取付用脚部の側面に、デッキ本体と基板とを接続するフレキシブルケーブルが接着剤で添設され、取付用脚部が基板の取付孔に係入係止された状態でフレキシブルケーブルの先端部が基板の裏面のパターンに半田付けされるように構成したので、取付用脚部を基板の取付孔に挿入するときに同時にフレキシブルケーブルでデッキ本体と基板とを接続することができるとともに、このフレキシブルケーブルをばらつくことなく接続することができる。
【００３２】
請求項５に記載の発明は、デッキ本体の下面の取付用脚部の側面にガイド溝が下端の前端部まで穿設され、このガイド溝内にデッキ本体と基板を接続するフレキシブルケーブルが配設されていて、取付用脚部が基板の取付孔に係入係止された状態でフレキシブルケーブルの先端部が基板の裏面のパターンに半田付けされるように構成したので、接着剤を必要とせず、しかもフレキシブルケーブル９を安定した状態で配設することができる。
【図面の簡単な説明】
【図１】本発明の第１実施形態のデッキと基板の取付構造の取付前の状態を示す断面図である。
【図２】同取付構造の取付途中の状態を示す要部の部分断面図である。
【図３】同取付装置の取付状態を示す断面図である。
【図４】第２実施形態のデッキと基板の取付構造の取付前の状態を示す断面図である。
【図５】同取付構造の取付状態を示す断面図である。
【図６】第３実施形態のデッキと基板の取付構造の取付状態を示す断面図である。
【図７】第４実施形態のデッキと基板の取付構造を示し、（ａ）はその取付状態を示す断面図、（ｂ）はその要部を示す部分断面図である。
【図８】従来のフライバックトランスの固定構造を示す分解斜視図である。
【図９】同固定構造の取付固定状態を示す断面図である。
【図１０】従来の電気部品取付装置を示し、（ａ）はその正面図、（ｂ）はその取付脚を若干外側に拡げた状態を示す正面図、（ｃ）はその電気部品の取付装置がシャーシに取り付けられた状態を示す断面図である。
【図１１】従来のモールドの固定装置におけるプラグユニットの正面図である。
【図１２】同固定装置におけるフック部を回路基板に係入係止した状態の部分拡大断面図である。
【符号の説明】
１            デッキ本体
２            取付用脚部
２Ａ          取付用脚部
２ａ          下端係止片部
２ｂ          テーパー面
２ｃ          突出片部
２ｄ          下端係止片部
２ｅ          突出片部
２ｆ          傾斜面
２ｇ          ガイド溝
３            取付用脚部
３Ａ          取付用脚部
３ａ          下端係止片部
３ｂ          テーパー面
３ｃ          突出片部
３ｄ          下端係止片部
３ｆ          傾斜面
４            基板
４ａ          取付孔
５            筐体
５ａ          ボス部
６            両側突出片
７            ビス
８            リブ
９            フレキシブルケーブル
【図１】
2005005374.tif 000003
【図２】
2005005374.tif 000004
【図３】
2005005374.tif 000005
【図４】
2005005374.tif 000006
【図５】
2005005374.tif 000007
【図６】
2005005374.tif 000008
【図７】
2005005374.tif 000009
【図８】
2005005374.tif 000010
【図９】
2005005374.tif 000011
【図１０】
2005005374.tif 000012
【図１１】
2005005374.tif 000013
【図１２】
2005005374.tif 000014